(57)【要約】【課題】本発明は、印刷媒体上のプリントイメージの品質を向上させることにある。【解決手段】本発明の印刷装置１００は、印刷媒体２２６上にインク２４７を位置づけるサブアセンブリ２３０と、前記印刷媒体２２６を入れたときに調整剤２３６を前記印刷媒体２２６に移す第１の構成、および前記印刷媒体２２６を入れたときに調整剤２３６を前記印刷媒体２２６に移させない第２の構成を持つ複数の構成要素を有する調整サブアセンブリ２２８と、を備えている。【選択図】図２
2004262246.tif 000002
【特許請求の範囲】
【請求項１】
印刷媒体上にインクを位置づけるサブアセンブリと、
前記印刷媒体を入れたときに調整剤を前記印刷媒体に移す第１の構成、および前記印刷媒体を入れたときに前記調整剤を前記印刷媒体に移させない第２の構成を持つ複数の構成要素を有する調整サブアセンブリと、
を備えている印刷装置。
【請求項２】
レーザプリンタであることを特徴とする請求項１に記載の印刷装置。
【請求項３】
前記インクがトナーであることを特徴とする請求項１に記載の印刷装置。
【請求項４】
前記インクが液体インクであることを特徴とする請求項１に記載の印刷装置。
【請求項５】
印刷媒体を印刷装置のプリントユニットに送り込むステップと、
少なくとも一部で、挟みローラと受渡しローラとの間に印刷媒体があることに基づいて、第１の位置および第２の位置間で前記挟みローラを移動させ、前記第１の位置において、前記挟みローラが前記挟みローラと前記受渡しローラとの間に配置された印刷媒体に、前記受渡しローラから調整剤を受け取らせ、前記第２の位置において、前記挟みローラが前記調整剤を前記印刷媒体に移させないステップと、
を含んでいる方法。
【請求項６】
疎水性物質を印刷媒体の１シートのほぼ全部に付加して、前記印刷媒体を事前膨脹させるステップと、
インクを前記印刷媒体上に移して、所望のイメージを形成するステップと、
を含んでいる方法。
【請求項７】
前記移す動作は、吐出を含んでいることを特徴とする請求項６に記載の方法。
【請求項８】
前記移す動作は、前記インクが位置づけられる面で前記印刷媒体に接触するステップを含んでいることを特徴とする請求項６に記載の方法。
【請求項９】
疎水性物質を付加する前記動作は、水を付加するステップを含んでいることを特徴とする請求項６に記載の方法。
【請求項１０】
プリント・ストリーム・データを評価して、前記プリント・ストリーム・データを表わすイメージが形成される印刷媒体に、調整剤を付加すべきかどうか判定するステップと、
前記評価する動作から、前記調整剤を付加すると、印刷品質が向上し得ることが示された場合に、調整剤を印刷媒体に付加するステップと、
前記評価する動作から、前記調整剤を付加しても、印刷品質が向上しないことが示された場合に、調整剤を印刷媒体に付加しないステップと、
を含んでいる方法。
【発明の詳細な説明】
【技術分野】
【０００１】
本発明は、印刷装置と印刷方法に関するものである。
【背景技術】
【０００２】
インクジェット・プリントシステムは、通常、１つまたは複数のプリント・カートリッジから、紙などの印刷媒体上にインクを吐出することにより動作して、プリントイメージを形成している。プリントイメージの品質は、他のファクタの中でも、印刷媒体の特性の影響を受けることもある。プリントイメージの品質は、印刷媒体を調整して向上させる場合もあるが、一方、このような調整は、望ましくない場合もある。それゆえ、様々なプリントシステムに利用される印刷媒体には、調整剤（ｃｏｎｄｉｔｉｏｎｉｎｇ  ｍａｔｅｒｉａｌ、添加剤）を選択的に付加する必要がある。
【発明の開示】
【課題を解決するための手段】
【０００３】
本発明の印刷装置は、印刷媒体上にインクを位置づけるサブアセンブリと、前記印刷媒体を入れたときに調整剤を前記印刷媒体に移す第１の構成、および前記印刷媒体を入れたときに前記調整剤を前記印刷媒体に移させない第２の構成を持つ複数の構成要素を有する調整サブアセンブリと、を備えている。
また、本発明の印刷方法は、印刷媒体を印刷装置のプリントユニットに送り込むステップと、少なくとも一部で、挟みローラと受渡しローラとの間に印刷媒体があることに基づいて、第１の位置および第２の位置間で前記挟みローラを移動させ、前記第１の位置において、前記挟みローラが前記挟みローラと前記受渡しローラとの間に配置された印刷媒体に、前記受渡しローラから調整剤を受け取らせ、前記第２の位置において、前記挟みローラが前記調整剤を前記印刷媒体に移させないステップと、を含んでいる。
さらに、本発明の印刷方法は、疎水性物質を印刷媒体の１シートのほぼ全部に付加して、前記印刷媒体を事前膨脹させるステップと、インクを前記印刷媒体上に移して、所望のイメージを形成するステップと、を含んでいる。
そして、本発明の印刷方法は、プリント・ストリーム・データを評価して、前記プリント・ストリーム・データを表わすイメージが形成される印刷媒体に、調整剤を付加すべきかどうか判定するステップと、前記評価する動作から、前記調整剤を付加すると、印刷品質が向上し得ることが示された場合に、調整剤を印刷媒体に付加するステップと、前記評価する動作から、前記調整剤を付加しても、印刷品質が向上しないことが示された場合に、調整剤を印刷媒体に付加しないステップと、を含んでいる。
【発明を実施するための最良の形態】
【０００４】
（概説）
様々な実施形態により、印刷装置内で印刷媒体に調整剤を選択的に付加されるようにする本発明の方法およびシステムを述べる。調整剤は、いくつかの実施形態において、所与の印刷媒体上のプリントイメージの品質を向上させることもある。この調整剤は、いくつかの機構の１つまたは複数を通じて、プリントイメージの品質に寄与することもある。例えば、いくつかの実施形態では、この調整剤がプリントイメージを形成するのに用いられるインクのブリーディングを減らし、もしそのような処置を取らなければ、プリントイメージをぼやけさせる可能性がある。
【０００５】
模範的な印刷装置
図１は、模範的な印刷装置１００の様々な構成要素を示している。この実施形態では、印刷装置１００は、インクジェット・プリンタから構成されているが、これらの記載された実施形態は、とりわけレーザプリンタなどの他のタイプの印刷装置にも同等に適用可能である。
【０００６】
印刷装置１００は、印刷媒体の処理やインク吐出などの様々な印刷処理を制御するために、１つまたは複数のプロセッサ２０２として実施される１つまたは複数のコントローラを備えている。
【０００７】
印刷装置１００は、電気的に消去・書込み可能なＰＲＯＭ（ＥＥＰＲＯＭ）２０４、ＲＯＭ２０６（消去不能なもの）、ランダム・アクセス・メモリ（ＲＡＭ）２０８を有している。ＥＥＰＲＯＭ２０４とＲＯＭ２０６を有する印刷装置１００が例示されているが、特定の印刷装置は、これらのメモリ部品のうちの１つしか備えていないことがある。さらに、例示されてはいないが、システムバス（図示されてない）も、印刷装置１００内の様々な構成要素を接続している。
【０００８】
また、印刷装置１００は、ＲＯＭ２０６上に格納された固定メモリ・モジュールとして実施されるファームウェア・コンポーネント２１０も有している。ファームウェア２１０は、ソフトウェアのようにプログラムされてテストされ、印刷装置１００と一緒に配布されるようになっている。ファームウェア２１０は、印刷装置１００内のハードウェアの動作を総合調整するために実施される場合がある。ファームウェア２１０には、このような動作を実施するのに用いられるプログラミング・コンストラクト（ｐｒｏｇｒａｍｍｉｎｇ  ｃｏｎｓｔｒｕｃｔ）が収容されている。
【０００９】
プロセッサ（１つまたは複数）２０２は、印刷装置１００の動作を制御するために、また、他の電子装置やコンピューティング装置と連絡するために、様々な命令を処理している。ＥＥＰＲＯＭ２０４、ＲＯＭ２０６、ＲＡＭ２０８といったメモリ部品は、設定情報、フォント、テンプレート、印刷されるデータ、および、メニュー構造情報などの様々な情報および／またはデータを格納している。例示されてはいないが、特定の印刷装置はまた、ＥＥＰＲＯＭ２０４やＲＯＭ２０６の代りに、あるいは、それらのメモリに加えて、フラッシュメモリ素子も備えている。
【００１０】
印刷装置１００はまた、ディスクドライブ２１２、ネットワーク・インターフェース２１４、シリアル／パラレル・インターフェース２１６も備えている。ディスクドライブ２１２は、印刷されるデータ、あるいは、印刷装置１００で維持される他の情報のために、追加のストレージを備えている。ＲＡＭ２０８とディスクドライブ２１２を両方とも有する印刷装置１００が例示されているが、特定の印刷装置は、プリンタの必要メモリに応じて、ＲＡＭ２０８か、ディスクドライブ２１２のいずれかを備えていてもよい。例えば、一部の印刷装置は、ＲＡＭ２０８をわずかに備えているが、ディスクドライブ２１２はまったく備えていないことから、印刷装置の製造費用が削減される場合がある。
【００１１】
ネットワーク・インターフェース２１４は、印刷装置１００とデータ通信網とを接続するものである。ネットワーク・インターフェース２１４により、装置を共有データ通信網に連結して、この通信網を通じて、プリントジョブ、メニューデータ、および他の情報を印刷装置１００に送ることが可能となる。同様に、シリアル／パラレル・インターフェース２１６は、印刷装置１００と、他の電子装置またはコンピューティング装置との間で、直接にデータ通信路を提供するものである。印刷装置１００は、ネットワーク・インターフェース２１４およびシリアル／パラレル・インターフェース２１６を有するものとして例示されているが、特定の印刷装置は、このようなインターフェース構成要素を１つしか備えていない場合もある。
【００１２】
また、印刷装置１００は、ユーザ・インターフェースおよびメニュー・ブラウザ２１８と、表示パネル２２０とを備えている。ユーザ・インターフェースおよびメニュー・ブラウザ２１８により、印刷装置１００のユーザは、印刷装置１００のメニュー構造をナビゲートすることが可能となる。ユーザ・インターフェース２１８は、インジケータ、あるいは、印刷装置のユーザが操作する一連のボタン、スイッチ、または他の選択可能なコントロールとして実施されることがある。表示パネル２２０は、印刷装置１００のステータスに関する情報と、メニュー構造を通じてユーザが利用できるカレント・オプションを提供するグラフィカル・ディスプレイである。
【００１３】
また、印刷装置１００は、プリントユニット２２４も備えている。プリントユニット２２４は、他の適切な材料の中でも、紙、プラスチック、布などの印刷媒体にインクを選択的に付加して、プリントジョブに対応するプリントデータに基づいてプリントイメージを形成するように構成されている機構を備えている。本明細書中で用いられる「インク」としては、インクジェット・プリンタに用いられているような液体インクと、レーザプリンタに用いられているトナー粉末などの他の形式を、両方とも含んでいる。
【００１４】
所与の印刷装置により生成されるプリントイメージの品質は、他のファクタの中でも、当該プリントイメージが形成される印刷媒体のタイプと品質の影響を受けることがある。例えば、フォト用紙は、「標準」プリンタ用紙よりも高品質のイメージを生み出すことが多い。フォト用紙（ｐｈｏｔｏ−ｇｒａｄｅ  ｐａｐｅｒ）は、よりむらのない表面を持つことが可能である。フォト用紙は、インク・ドロップレットが印刷媒体上に広がるか、またはにじむ傾向、したがって、このイメージをぼやけさせる傾向を減らすことができるタイプの調整剤を用いて処理されることになる。フォト用紙を用いれば、所与の印刷装置が、さらに高品質のイメージを生成できることがあるとはいえ、フォト用紙は、多くのプリントジョブには必要でない場合もあり、またフォト用紙の値段は、多くのユーザにとって非常に高いと言える。
【００１５】
（模範的な実施形態および方法）
図２および図３は、印刷媒体２２６上にプリントイメージを形成できる１つの模範的なプリントユニット２２４ａの一部の断面図を示している。このプリントユニット２２４ａは、以下でさらに詳しく論じられる調整サブアセンブリ２２８とインク吐出サブアセンブリ２３０などの機能サブユニットを備えている。
【００１６】
いくつかの実施形態において、プリントユニット２２４ａの個々の構成要素には、ピック（抜取り）ローラ２３２、１つまたは複数の組の送りローラ２３４ａ〜２３４ｄ、調整剤の供給源２３６、ピックアップ（取込み）ローラ２４０、受渡しローラ２４２、挟みローラ２４４、およびプリント・カートリッジ２４６がある。
【００１７】
いくつかの実施形態において、紙などの印刷媒体２２６は、ピック・ローラ２３２によりスタックから抜き取られ、２３４ａ〜２３４ｄのような複数の組みの送りローラで、プリントユニット２２４ａの中を移動させられることがある。これらの送りローラは、調整サブアセンブリ２２８を通って、かつ／または越えて、印刷媒体を移動させ、また、いくつかの実施形態においてプリント・カートリッジ２４６を備えるインク吐出サブアセンブリ２３０を通って、かつ／または越えて、印刷媒体を移動させることがある。
【００１８】
プリント・カートリッジ２４６は、印刷媒体の第１の面２４８上の標的位置の上に、距離ｄを横切ってインク・ドロップレット２４７を吐出するものである。このプロセスは、何回も繰り返されて、印刷媒体２２６上にプリントイメージを形成している。これらの図示された実施形態には示されていないが、いくつかの模範的な印刷装置は、印刷媒体の第２の面２４９上にも印刷するように構成されている。
【００１９】
調整サブアセンブリ２２８の構成要素は、印刷媒体２２６を印刷装置に入れたときに、調整剤２３６を印刷媒体２２６に移す第１の構成に配置されることもある。例えば、図２は、このような第１の構成の１つを示している。
【００２０】
図２は、ピックアップ・ローラ２４０、受渡しローラ２４２、挟みローラ２４４を備えた複数の構成要素を有する調整サブアセンブリ２２８を示している。この実施形態では、ピックアップ・ローラ２４０が時計回り方向に動くこともある。ピックアップ・ローラ２４０の一部は、調整剤２３６に接触しており、ピックアップ・ローラ２４０が回転すると、調整剤２３６の一部がピックアップ・ローラ２４０に移されることになる。いくつかの実施形態では、ドクターブレード２５０を利用して、ピックアップ・ローラ２４０から余分の調整剤を除去することもある。
【００２１】
いくつかの実施形態では、ピックアップ・ローラ２４０上の調整剤の量も、ピックアップ・ローラ２４０の表面特性により制御されることがある。例えば、いくつかの実施形態では、ピックアップ・ローラ２４０の表面上に、様々な寸法の傷または生地を取り入れて、そこに付着する調整剤の量を制御することもある。いくつかの実施形態では、その代りに、あるいは、それに加えて、ピックアップ・ローラ２４０上の調整剤の量は、とりわけ、選択されるドクターブレード２５０のタイプ、ドクターブレード２５０によりピックアップ・ローラ２４０上に加えられる押圧力、およびピックアップ・ローラ２４０の表面特性によって、制御されることもある。
【００２２】
上述した実施形態では、ピックアップ・ローラ２４０が引き続き、時計回りに回転すると、ピックアップ・ローラ２４０の表面、および関係する調整剤が受渡しローラ２４２に接触して、一部の調整剤が反時計回りに回転する受渡しローラ２４２に移されることになる。
【００２３】
挟みローラ２４４は、印刷媒体の第１の面２４８を、受渡しローラ２４２に接触させることもある。例えば、いくつかの実施形態では、挟みローラ２４４が印刷媒体２２６に下方の押圧力を加えて、印刷媒体２２６を、挟みローラ２４４と受渡しローラ２４２との間で締め付けることがある。このような配置構成は、調整剤を印刷媒体の第１の面２４８に移すことになる。
【００２４】
調整剤は、少なくともいくつかの状況のもとにプリントイメージの品質を向上させ得る材料であれば何でもよい。例えば、いくつかの実施形態では、調整剤が印刷媒体２２６上の標的位置から、インクのにじみを減らす物質から構成されている。これらの例の一部において、この調整剤は、標的位置から遠ざかる方向の液体インクのブリーディングを減らすのに役立つ疎水性物質から成ることもある。このような疎水性の調整剤の例には、Ｅｌｍｅｒ社のＧｌｕｅ（登録商標）などのラテックスがある。
【００２５】
さらに他の例では、この調整剤がインクと反応するなどして、インクを概ね凝固させる固着剤（ｆｉｘｅｒ、定着剤）から成ることもある。適切な固着剤の例には、アクリル・ポリマがあるが、それに限定されるものではない。
【００２６】
調整剤の一部は、他のやり方で、プリントイメージの品質を向上させるのに役立っている。例えば、いくつかの実施形態では、調整剤が標準プリンタ用紙などの印刷媒体上にプリントイメージを形成する前に、その印刷媒体の個々のページのほぼ全体の表面に付加される水などの疎水性物質から成ることもある。
【００２７】
このように水を付加すると、ページが一様に、事前膨脹することがある。このような前処理がなければ、イメージの形成中にインクを受け取るページの一部は、インクが付加されない部分に対して、膨脹することもある。このような一様でない膨脹は、用紙にウェーブを起こさせる原因となる。
【００２８】
このようなウェーブは、仕上りページの品質を落とすことがある。さらに、このウェーブは、図２に関連して述べられた距離ｄがページの該当エリアにわたって変化させることもある。このことは、イメージの品質を劣化させるものである。その理由として、所与の印刷装置および関連するプリント・カートリッジは、ｄ（図２に示される）という事実上一定の値で機能するように設計されていることが多いためである。他のファクタの中でも、このような変化は、軌道補償パラメータに影響を及ぼしている。軌道補償パラメータは、印刷装置用に設定されるものであって、プリント・カートリッジからのインクの吐出を制御する印刷装置中のソフトウェア／ファームウェアに収容されている。
【００２９】
いくつかの実施形態において、調整サブアセンブリ２２８の構成要素は、印刷媒体を印刷装置に入れたときに、調整剤を印刷媒体には移させない第２の構成に配置されることもある。例えば、図３は、このような第２の構成の１つを示している。
【００３０】
図３に示されるように、印刷媒体２２６は、複数の組のプリント・ローラ２３４ａ〜２３４ｄにより、調整サブアセンブリ２２８の中に送られるようになっている。印刷媒体は挟みローラ２４４に接触するが、受渡しローラ２４２や、受渡しローラ２４２上に配置された調整剤２３６には接触していない。この実施形態では、挟みローラ２４４が図２に示される実施形態の場合よりも、受渡しローラ２４２からさらに離れている。この実施形態では、第２の構成が受渡しローラ２４２に対して相対的に挟みローラ２４４を移動させれば、達成されることになる。ただし、これは、適切な構成のほんの１つにすぎない。例えば、他の実施形態では、挟みローラ２４４の移動の代りに、あるいは、その移動に加えて、受渡しローラ２４２およびピックアップ・ローラ２４０を移動させて、第２の構成を達成することもある。
【００３１】
上記した第１の構成と第２の構成を有する調整サブアセンブリをさらに利用して、挟みローラ２４４と受渡しローラ２４２との間に印刷媒体がないときに、挟みローラ２４４を受渡しローラ２４２から離すこともある。これにより、調整剤は、不注意にも、受渡しローラ２４２から挟みローラ２４４へ、続いて、印刷媒体の第２の面２４９に移されないようにしている。
【００３２】
さらにまた、このような構成により、印刷媒体は、要望があれば、調整剤を受け取らずに、印刷装置を通過できるようにしてもよい。例えば、所与のプリントジョブ用の印刷媒体として、ＯＨＰフィルムを利用する場合には、この調整サブアセンブリは、ＯＨＰフィルムに調整剤を付加しないように、上記の第２の構成に維持されている。
【００３３】
他の例では、第１の構成と第２の構成のいずれかを選択できることから、要望通りに、調整剤を個々の印刷媒体シートの一部に移させるようにしてもよい。例えば、いくつかの実施形態では、グラフィック・イメージが形成されるページまたはシートの一部に調整剤を付加することもあるが、一方、そのページの他の部分、例えばテキストを受け取る部分には、調整剤を付加させていない。このような構成は、印刷装置が他の方法で得られるはずのものよりも高品質のプリントイメージを所与の印刷媒体上に形成できるようにしながら、調整剤の使用量を減らすことがある。様々な適切な印刷装置は、これらの機能の一部または全部を処理することができる。
【００３４】
図４は、調整サブアセンブリ２２８（図４には示されてない）が第１の位置から第２の位置まで、どのように移動することが可能であるかについて、一例を示している。この例では、カム・レバー４０２が受渡しローラ２４２ａに接触する位置から、第２の接触しない位置まで、挟みローラ２４４ａを移動させている。このカム・レバー４０２は、ユーザにより手動で制御されるか、あるいは、プロセッサ２０２などのコントローラにより制御されるようになっている。このコントローラは、他の手段の中でも、ソレノイドまたはステッパ・モータを用いて、カム・レバー４０２を動かしている。他の適切な移動手段は、当業者であれば理解されよう。
【００３５】
カム・レバー４０２の代りに、あるいは、カム・レバー４０２に加えて、他の実施形態では、第１の構成と第２の構成との間で調整サブアセンブリを移動させるのに適した他の手段を使用することもある。例えば、いくつかの実施形態では、ソレノイドと付勢手段（例えば、ばね）は、協働して利用されることもあり、その結果、ソレノイドを作動させ、調整サブアセンブリの構成要素の１つまたは複数を移動させて、この調整サブアセンブリの第２の構成を達成するまで、付勢手段は調整サブアセンブリを１つの構成に位置付けている。ソレノイドを停止させると、調整サブアセンブリは第１の構成に戻ることになる。このようなシステムは、プロセッサ２０２で制御されている。
【００３６】
いくつかの実施形態では、調整サブアセンブリからの調整剤と、インク吐出サブアセンブリからのインクとの不注意な接触を少なくする機構（１つまたは複数）を備えている。固着剤などの調整剤の一部は、インクと反応し、かつ／または、他の方法でインクを凝固させるように固有に設計されている。噴霧質（エーロゾル）ドロップレットなどの様々な形式の「標的外れのインク」が、印刷装置内で、特にインク吐出サブユニットのすぐ近くに設けられていることもある。このような標的外れのインクが調整剤に接触する場合には、望まないインクが印刷媒体上に現れることがある。同様に、調整剤がたまたまインク吐出サブユニットのプリント・カートリッジに接触する場合には、このプリント・カートリッジの性能が弱められることがある。
【００３７】
図５は、インク吐出サブユニット２３０ｂからのインク２４７ｂに、調整サブユニット２２８ｂの調整剤２３６がたまたま触れることのないようにする適切な機構の３つの例を示している。これらの例は、ファン５０２、物理的バリヤ５０４、および、これら２つのサブユニットの間隔ｘとして図５に示されている物理的間隔から成る排出システムを備えている。他の実施形態は、当業者により理解されるように、これらの機構の一部または全部、並びに、他の適切な機構を利用することもある。
【００３８】
図６は、本発明の一実施形態による方法を表わす流れ図を示している。この模範的な方法は、６００において、プリント・ストリーム・データ（ｐｒｉｎｔ  ｓｔｒｅａｍ  ｄａｔａ）を評価して、このプリント・ストリーム・データを表わすイメージが形成される印刷媒体に、調整剤を付加すべきかどうか判定している。
【００３９】
いくつかの実施形態では、このような評価がプリントジョブ全体として行われることもある。他の実施形態では、１ページずつ評価することもある。さらに他の実施形態では、プリントジョブを備える個々のページのサブセットに対して、別々の評価を行うこともある。例えば、ページ上にグラフィック・イメージを表わすエリアに対して、或る評価が行われ、また、テキストを受け取るエリアに対しては、別の評価が行われている。これらの実施形態のいくつかにおいて、その評価は、少なくとも一部、印刷品質の選択に関するユーザ入力に基づくこともある。例えば、いくつかの実施形態では、ユーザが調整剤をプリントジョブのグラフィック・イメージ部分だけに付加することを決めることがある。
【００４０】
この評価から、調整剤を付加すると、印刷品質が向上し得ることが示された場合に、この模範的な方法は、６０２において、調整剤を印刷媒体に付加している。いくつかの実施形態では、このような調整剤の塗布は、ほぼ全体のページにわたるが、他の塗布は、所与のページの個々の部分にわたることもある。
【００４１】
いくつかの実施形態では、印刷媒体が第１のローラと第２のローラとの間に配置されているときに、第１のローラを、第２のローラから第１の距離だけ離れた所に位置づけて、調整剤を付加している。これら２つのローラ間の第１の距離は、調整剤を第２のローラから印刷媒体に移すのに効果的である。上述のように、一実施形態では、第１のローラは挟みローラから成ることもあるが、第２のローラは受渡しローラから構成されている。
【００４２】
この評価から、調整剤を付加しても印刷品質が向上しないことが示された場合に、この模範的な方法は、６０４において、調整剤を印刷媒体には付加しない。動作６０２に関して、上述のように、調整剤を付けないという前記動作は、様々な適切な実施形態において、プリントジョブ全体、全ページ、または、ページの一部に関わることもある。
【００４３】
上述のように、いくつかの実施形態は、効果的に調整剤を印刷媒体に移さないようにするのに、第２のローラから遠ざかる方向に第１のローラを移動させることで、調整剤を付加しないようにしている。
【００４４】
これらの実施形態のいくつかにおいて、第２のローラから遠ざかる方向に第１のローラを移動させることで、印刷媒体が第１のローラと第２のローラとの間にないときに、第１のローラが第２のローラから第２の距離だけ離れた所に配置されている。第２の距離は、第１の距離よりも長いものであり、印刷媒体がないときに、調整剤が第２のローラから第１のローラに移されないようにするのに効果的である。
【００４５】
他の実施形態では、他の適切なやり方で、これら２つのローラを相対的に位置づけることもある。例えば、適切な一実施形態では、印刷媒体が上側ローラと下側ローラとの間に配置されているときに、第１のローラは、第２のローラから成る下側ローラのすぐ近くに位置づけられた上側ローラから構成されている。この位置は、調整剤を下側ローラから印刷媒体に移している。この実施形態では、さらに、印刷媒体が上側ローラと下側ローラとの間に配置されていないときに、下側ローラからさらに遠くに上側ローラを位置づけて、調整剤がこれら２つのローラ間で移されないようにしている。他の様々な適切な構成は、当業者により理解されよう。
【００４６】
これらの実施形態は、構造上の特徴および／または方法論的な動作に特有の言葉で述べられてきたが、併記の特許請求の範囲は、述べられた特定の特徴または動作には限定されないものとする。
【図面の簡単な説明】
【００４７】
【図１】本発明の一実施形態による模範的な印刷装置の様々な構成要素を例示したブロック図である。
【図２】本発明の一実施形態による模範的な印刷装置の一部を示す側面図である。
【図３】本発明の一実施形態による模範的な印刷装置の一部を示す側面図である。
【図４】本発明の一実施形態による模範的な印刷装置の一部を示す斜視図である。
【図５】本発明の一実施形態による模範的な印刷装置の一部を示す側面図である。
【図６】本発明の一実施形態による模範的な方法に基づく動作を含む流れ図である。
【符号の説明】
【００４８】
１００  印刷装置
２２４  プリントユニット
２２６  印刷媒体
２２８  調整サブアセンブリ
２３０  インク吐出サブアセンブリ
２３６  調整剤
２４２  受渡しローラ
２４４  挟みローラ
２４７  インク
【図１】
2004262246.tif 000003
【図２】
2004262246.tif 000004
【図３】
2004262246.tif 000005
【図４】
2004262246.tif 000006
【図５】
2004262246.tif 000007
【図６】
2004262246.tif 000008